(57)【特許請求の範囲】
【請求項１】
太陽電池の出力端子が導線を介して、太陽電池モジュールの端子箱に内在された端子板に接続される太陽電池モジュールにおいて、
前記導線は、前記出力端子に接続される導線と、前記出力端子に接続される導線から分岐された分岐導線とを有し、
前記分岐導線は、複数の導線からなり、
前記分岐導線は、前記複数の導線がそれぞれ前記端子板に接続されることにより複数の接点を介して前記端子板に接続されることを特徴とする太陽電池モジュール。
【請求項２】
前記分岐導線は、前記複数の導線間で抵抗値が異なる請求項１に記載の太陽電池モジュール。
【請求項３】
パネル状の前記太陽電池の小口に接着部材を介して接着されるアタッチメント部材と、
前記アタッチメント部材に取り付けられる前記端子箱の本体と、を備え、
前記アタッチメント部材に対する前記本体の取り付け位置を選択可能とする取付手段が前記アタッチメント部材又は前記本体に備えられている請求項１又は２に記載の太陽電池モジュール。
【請求項４】
前記取付手段は、
前記アタッチメント部材又は前記本体に備えられた複数の被係合部と、
前記アタッチメント部材又は前記本体に備えられ、前記複数の被係合部のうち選択された被係合部に係合される係合部と、
からなる請求項３に記載の太陽電池モジュール。
【請求項５】
前記アタッチメント部材は断面Ｌ字状に構成され、前記太陽電池の小口に前記接着部材を介して接着される第１の面と、前記太陽電池の面に前記接着部材を介して接着される第２の面とが備えられる請求項３又は４に記載の太陽電池モジュール。
【請求項６】
前記太陽電池は、２枚のガラス板が熱硬化性樹脂製又は熱可塑性樹脂製の膜体を介して接合されてなる合わせガラスであり、前記接着部材は熱硬化性樹脂又は熱可塑性樹脂である請求項３、４又は５に記載の太陽電池モジュール。
【請求項７】
前記アタッチメント部材には、前記太陽電池から延出された導線が挿通される開口部が備えられ、前記導線の端部が前記本体に内在された端子板に接続される請求項３から６のいずれかに記載の太陽電池モジュール。
【請求項８】
前記太陽電池モジュールは、複数の太陽電池セルを有し、
前記太陽電池セルはインターコネクタを介して直列に接続される請求項１から７のいずれかに記載の太陽電池モジュール。
【発明の詳細な説明】
【技術分野】
【０００１】
本発明は、太陽電池モジュールに関する。
【背景技術】
【０００２】
特許文献１には、複数の太陽電池セルを有する太陽電池と、太陽電池セルによって発電された電力を外部に取り出すための端子ボックスとを備えた太陽電池モジュールが開示されている。
【０００３】
特許文献１の太陽電池は、太陽電池セルからの出力を外部に取り出すための導線（出力導体）を有している。この導線は、太陽電池セルによって発電された電気を端子ボックスの端子板に伝導する機能を有する。
【０００４】
特許文献１の導線は、厚さ０．１ｍｍ程度、幅２ｍｍ〜４ｍｍ程度の銅箔の全面をハンダコートしたものを、所定の長さに切断し、一端部を太陽電池セルの出力端子に、他端部を端子ボックスの端子板にそれぞれ半田付けされて切断されている。
【先行技術文献】
【特許文献】
【０００５】
【特許文献１】特許第５２９５３７０号公報
【発明の概要】
【発明が解決しようとする課題】
【０００６】
特許文献１のように、太陽電池セルの出力端子と端子箱の端子板との間を１本の導線を用いて接続する形態では、出力端子又は端子板との導線の接点に不具合が発生した場合には、太陽電池モジュールとしての機能を持続させることができない、という問題があった。
【０００７】
つまり、特許文献１の太陽電池モジュールでは、長期間の使用寿命を保証することができないという問題があった。
【０００８】
本発明は、上述の事情に鑑みてなされたものであり、長期間の使用寿命を保証できる太陽電池モジュールを提供することを目的とする。
【課題を解決するための手段】
【０００９】
本発明の一態様は、太陽電池の出力端子が導線を介して、太陽電池モジュールの端子箱に内在された端子板に接続される太陽電池モジュールの端子箱において、前記導線は、複数の導線を備えることにより、複数の接点を介して前記端子板に接続されることを特徴とする太陽電池モジュールを提供する。
【００１０】
本発明の一態様によれば、太陽電池の負極端子が第１の導線を介して、端子箱に内在された第１の端子板に接続され、太陽電池の正極端子が第２の導線を介して、太陽電池モジュールの端子箱に内在された第２の端子板に接続される。その際に、第１の導線及び第２の導線は、複数の導線を備えることにより、複数の接点を介して第１の端子板及び第２の端子板に接続される。
【００１１】
本発明の一態様によれば、端子板に対して複数の接点を備えることで、一方の接点に不具合が発生しても、他方の正常な接点に電流が流れることで問題なく太陽電池モジュールの機能を持続することができる。よって、長期間の使用寿命を保証することができる。
【００１２】
本発明の一態様は、前記複数の導線の抵抗値を異ならせ、通常使用導線と予備使用導線と用途を分ける方法であってもよい。
【００１３】
本発明の一態様によれば、複数の導線は、一つで全体の電流に耐えうるものを使用する。また、抵抗値を意図的に変えることで、通常状態では、抵抗値の低い導線に電流が主に流れるようにする。抵抗値の低い導線の接点が熱負荷などを繰り返し受けて不具合を起こした場合、その時点で抵抗値の低い導線は機能しなくなるが、それ以降は、抵抗値の高い導線に電流が流れることにより、端子箱は問題なく機能を持続できる。これにより、端子箱全体、太陽電池全体の寿命が延びるので、長期間の使用寿命を保証できる太陽電池モジュールを提供できる。導線の材料（銅、真鍮など）を変えることで、複数の導線の抵抗値を変えることができ、同一材料の場合には、導線の断面積を変えれば抵抗値を変えることができる。
【００１４】
本発明の一態様は、パネル状の太陽電池の小口に接着部材を介して接着されるアタッチメント部材と、前記アタッチメント部材に取り付けられる前記端子箱の本体と、を備え、前記アタッチメント部材に対する前記本体の取り付け位置を選択可能とする取付手段が前記アタッチメント部材又は前記本体に備えられていることが好ましい。
【００１５】
本発明の一態様によれば、太陽電池の小口に接着される端子箱を、小口に接着されるアタッチメント部材と端子箱の本体との二部材に分割し、厚さの異なる太陽電池であっても同一のアタッチメント部材を小口に接着し、このアタッチメント部材に対する本体の取り付け位置を、取付手段によって選択可能とした。これにより、太陽電池の厚さのバリエーションに対応できる太陽電池モジュールの端子箱を提供できる。
【００１６】
本発明の一態様は、前記取付手段は、前記アタッチメント部材又は前記本体に備えられた複数の被係合部と、前記アタッチメント部材又は前記本体に備えられ、前記複数の被係合部のうち選択された被係合部に係合される係合部と、からなることが好ましい。
【００１７】
本発明の一態様によれば、複数の被係合部のうち選択した被係合部に係合部を係合させて、アタッチメント部材に本体を取り付ける。被係合部及び係合部からなる機械的係止部材を介してアタッチメント部材に本体を取り付ければ、アタッチメント部材から本体を取り外すことができるので、本体のメンテナンス作業及び交換作業が容易になる。また、アタッチメント部材と本体との水密性を高めるために、被係合部と係合部との係合面には水密パッキンを備えることが好ましい。
【００１８】
本発明の一態様は、前記アタッチメント部材は断面Ｌ字状に構成され、前記太陽電池の小口に前記接着部材を介して接着される第１の面と、前記太陽電池の面に前記接着部材を介して接着される第２の面とが備えられることが好ましい。
【００１９】
本発明の一態様によれば、アタッチメント部材を断面Ｌ字状に構成し、第１の面を接着部材によって太陽電池の小口に接着し、第２の面を太陽電池の面に接着部材によって接着する。これにより、太陽電池に対するアタッチメント部材の接着面積を、小口にのみに接着面（第１の面に相当）を備えた平板状のアタッチメント部材と比較して大きくできるので、太陽電池に対するアタッチメント部材の接着安定性が高まる。
【００２０】
本発明の一態様は、前記太陽電池は、２枚のガラス板が熱硬化性樹脂製又は熱可塑性樹脂製の膜体を介して接合されてなる合わせガラスであり、前記接着部材は熱硬化性樹脂又は熱可塑性樹脂であることが好ましい。また、前記太陽電池は主受光面側の１枚のガラス板と非受光面側のバックシートを熱硬化性樹脂製又は熱可塑性樹脂製の膜体を介して接着したパネルでもよい。
【００２１】
本発明の一態様によれば、オートクレーブによる合わせガラスの製造と同時にアタッチメント部材を太陽電池に接着できる。
【００２２】
太陽電池の小口に対するアタッチメント部材の取り付け方法は、接着剤によるものでも構わないが、より強固、かつ耐久性を高めるためには、合わせガラスの２枚のガラス板を接合（封着）するために用いられる膜体又は封止材等と同様、熱硬化性若しくは熱可塑性の接着部材を使用して接着することが好ましい。
【００２３】
その接着部材として熱硬化性樹脂又は熱可塑性樹脂を使用すれば、シリコーンシーラント系の常温硬化性接着材と比較して、接着力、剛性、耐久性ともに優れ、かつ、２枚のガラス板の接合工程（ラミネーション工程）において同時にアタッチメント部材を接着できるので、施工性も向上する。
【００２４】
本発明の一態様は、前記アタッチメント部材には、前記太陽電池から延出された導線が挿通される開口部が備えられ、前記導線の端部が前記本体に内在された端子板に接続されることが好ましい。
【００２５】
本発明の一態様によれば、太陽電池から延出された導線は、アタッチメント部材の開口部に挿通されて、本体に内在された端子板に接続される。この際に、取付手段を利用して、導線が折れ曲がらない好適な位置に、本体をアタッチメント部材に取り付ける。
【発明の効果】
【００２６】
以上説明したように本発明によれば、長期間の使用寿命を保証することができる太陽電池モジュールを提供できる。
【図面の簡単な説明】
【００２７】
【図１】実施形態の太陽光発電システムの外観を示す斜視図
【図２】図１に示した太陽光発電システムの回路図
【図３】図１に示した太陽電池パネルの縦断面図
【図４】図１に示した端子箱に内装された部品図
【図５】２個のバイパスダイオードの使用状態を示した説明図
【図６】２本のバスバーを端子板に接続した他の形態を示した説明図
【図７】他の実施形態の端子箱の構成を示した組立斜視図
【図８】厚さの厚い太陽電池パネルに取り付けられた図７の端子箱の要部断面図
【図９】厚さの薄い太陽電池パネルに取り付けられた図７の端子箱の要部断面図
【発明を実施するための形態】
【００２８】
以下、添付図面に従って本発明に係る太陽電池モジュールの好ましい実施形態について説明する。
【００２９】
図１は、実施形態の太陽電池モジュールを備えた太陽光発電システム１０の外観を示す斜視図、図２は図１に示した太陽光発電システム１０の回路図である。
【００３０】
〔太陽光発電システム１０の構成〕
図１、図２に示すように、太陽光発電システム１０は、電気的に直列に接続された３台の太陽電池モジュール１２、１４、１６を有している。なお、実施形態では３台の太陽電池モジュール１２、１４、１６を例示するが、太陽電池モジュールの台数は３台に限定されるものではなく、２台又は４台以上であってもよい。また、太陽電池モジュール１２、１４、１６は、同一の発電特性を有しているため、太陽電池モジュール１２、１４、１６の構成を説明する際には、太陽電池モジュール１２の構成を説明し、他の太陽電池モジュール１４、１６については同一の符号を付すことにより、その説明を省略する。
【００３１】
太陽電池モジュール１２は、複数の太陽電池セル１８を有する太陽電池パネル（パネル状の太陽電池）２０と、バイパス素子２２及びバイパス素子２４が内在された端子箱２６とを備える。端子箱２６は、図１の如く太陽電池パネル２０の小口に取り付けられる。
【００３２】
太陽電池セル１８は、インターコネクタ２８を介して電気的に直列に接続されている。なお、図１、図２に示した太陽電池モジュール１２は、複数の太陽電池セル１８を直列に接続した１つのストリングスのみ示しているが、実際では複数のストリングスが直列に接続された太陽電池モジュールでもよい。
【００３３】
太陽電池セル１８としては、例えばＰＮ接合を有するシリコーン系の太陽電池が適用され、１枚の太陽電池パネル２０に対して２０〜２４枚（なお、図１、図２では１２枚）の太陽電池セル１８が備えられている。太陽電池パネル２０の出力電圧は、例えば最大で２４×０．５Ｖ＝１２Ｖである。なお、太陽電池セル１８は、シリコーン系の太陽電池に限定されるものではなく、化合物系、有機系などの他の太陽電池セルであってもよい。また、太陽電池セル１８の枚数も上記枚数に限定されるものではない。更に、太陽電池セル１８は、両面受光発電型のものであってもよい。
【００３４】
図３は、太陽電池パネル２０の縦断面図であり、太陽電池パネル２０は、２枚の中間膜３０、３２を介して太陽電池セル１８を、２枚のガラス板３４、３６によって挟持した合わせガラス構造のものである。中間膜３０、３２としてはＰＶＢ（ポリビニルブチラール）、ＥＶＡ（エチレンビニルアセテート）等を例示できる。前記合わせガラスは、２枚の中間膜３０、３２を介して太陽電池セル１８を、２枚のガラス板３４、３６によって挟み込み、これをオートクレーブ等によって加熱、加圧することにより製造される。
【００３５】
なお、太陽電池パネル２０は、合わせガラス構造のものに限定されるものではなく、ガラス板とバックシートとによって太陽電池セル１８を挟持した構造のものでもよい。
【００３６】
図４は、端子箱２６に内装された各部品の配置位置を示した部品図である。バイパス素子２２、２４は、端子箱２６に内装された端子板３８と端子板４０との間に直列接続され、かつバイパス素子２２とバイパス素子２４とは並列で接続される。具体的には、バイパス素子２２であるバイパスダイオード４２のアノード端子が端子板３８に接続され、カソード端子が端子板４０に接続される。同様にバイパス素子２４であるバイパスダイオード４４のアノード端子が端子板３８に接続され、カソード端子が端子板４０に接続される。
【００３７】
これにより、端子板３８、４０に対してバイパスダイオード４２、４４は直列接続され、かつバイパス素子２２とバイパス素子２４とが並列で接続される。また、バイパスダイオード４２としては、順方向降下電圧（Ｖｆ）が０．５５Ｖ（第１の電圧）のショットキーバリアダイオードが適用され、バイパスダイオード４４としては、順方向降下電圧（Ｖｆ）が１．１Ｖ（第２の電圧）の一般整流用ダイオード（例えば、シリコンダイオード）が適用されている。なお、バイパスダイオード４２、４４として、順方向降下電圧（Ｖｆ）が異なるショットキーバリアダイオードを使用してもよく、同様に、順方向降下電圧（Ｖｆ）が異なる一般整流用ダイオードを使用してもよい。また、バイパス素子の個数は２個に限定されるものではなく、３個以上のバイパス素子を並列に接続してもよい。
【００３８】
端子板３８には、１本のバスバー（導線）４６から分岐された２本の分岐バスバー（複数の導線）４６Ａ、４６Ｂが溶接又は半田などによって接続され、バスバー４６の他端は、図２の如く太陽電池パネル２０の負極側の太陽電池セル１８に接続される。
【００３９】
図４に戻り、端子板４０には、１本のバスバー（導線）５０から分岐された２本の分岐バスバー（複数の導線）５０Ａ、５０Ｂが溶接又は半田などによって接続され、バスバー５０の他端は、図２の如く太陽電池パネル２０の正極側の太陽電池セル１８に接続される。なお、負極側の太陽電池セル１８及び正極側の太陽電池セル１８が、太陽電池パネル２０の出力端子である。また、分岐バスバーの本数も２本に限定されるものではなく、３本以上であってもよい。
【００４０】
太陽電池モジュール１２の端子板３８には、図２の如く、負荷装置５４に一端が接続された外部接続ケーブル５６の他端が直結又はコネクタを介して着脱自在に接続される。また、太陽電池モジュール１２の端子板４０には、外部接続ケーブル５８の一端が直結又はコネクタを介して着脱自在に接続され、外部接続ケーブル５８の他端が、太陽電池モジュール１４の端子箱２６の端子板３８に直結又はコネクタを介して着脱自在に接続される。更に、太陽電池モジュール１４の端子板４０には、外部接続ケーブル６０の一端が直結又はコネクタを介して着脱自在に接続され、外部接続ケーブル６０の他端が、太陽電池モジュール１６の端子箱２６の端子板３８に直結又はコネクタを介して着脱自在に接続される。そして、太陽電池モジュール１６の端子板４０には、外部接続ケーブル６２の一端が直結又はコネクタを介して着脱自在に接続され、外部接続ケーブル６２の他端が負荷装置５４に接続される。これにより、太陽光発電システム１０によって発電された電気が負荷装置５４に供給される。
【００４１】
〔太陽光発電システム１０の作用〕
太陽電池モジュール１２、１４、１６のうち、例えば、太陽電池モジュール１４が未発電状態になると、発電状態の太陽電池モジュール１２からの電流は、太陽電池モジュール１４の太陽電池パネル２０をバイパスし、太陽電池モジュール１４の第１のバイパス素子２２及び／又は第２のバイパス素子２４を介して太陽電池モジュール１６に流れる。これにより、未発電状態の太陽電池モジュール１４の太陽電池パネル２０に逆電流が流れるのを防止でき、太陽電池モジュール１４の破損を防止できると同時に、未発電状態の太陽電池モジュール１４が抵抗体となることで、太陽光発電システム１０全体の電流の低下が生じるのを防止できる。
【００４２】
太陽電池モジュール１２に備えられるバイパス素子として、実施形態では、太陽電池パネル２０に並列に接続された２個のバイパス素子２２、２４を備えている。そして、バイパス素子２２であるバイパスダイオード４２として、順方向降下電圧（Ｖｆ）が０．５５Ｖのショットキーバリアダイオードを適用し、バイパス素子２４であるバイパスダイオード４４として、順方向降下電圧（Ｖｆ）が１．１Ｖの一般整流用ダイオードを適用している。
【００４３】
すなわち、バイパスダイオード４２には、０．５５Ｖ以上の電圧が印加された際に順方向電流が流れ、バイパスダイオード４４には、１．１Ｖ以上の電圧が印加された際に順方向電流が流れる。
【００４４】
したがって、実施形態の太陽電池モジュール１２によれば、図５（Ａ）において大小の大きさで示した矢印Ａ、Ｂの如く、通常状態では主にバイパスダイオード４２に電流が流れる。そして、バイパスダイオード４２が熱負荷などを繰り返し受けて破損した場合、その時点でバイパスダイオード４２は機能しなくなるが、それ以降は図５（Ｂ）矢印Ｃの如く、バイパスダイオード４４に電流が流れる。これにより、端子箱２６は問題なく機能を持続できる。
【００４５】
つまり、実施形態の太陽電池モジュール１２は、正常時においては、２個あるバイパスダイオード４２、４４のうち、積極的にバイパスダイオード４２のみを使用することで、予備のバイパスダイオード４４が受けるストレスが抑制されるので、バイパスダイオード４４の使用寿命が延びる。これにより、端子箱２６、太陽電池パネル２０の使用寿命が結果として延びるので、長期間の使用寿命を保証できる太陽電池モジュール１２を提供できる。
【００４６】
なお、バイパスダイオード４４の代わりにパワーＭＯＳＦＥＴとオペアンプとを組み合わせたバイパス素子を使用してもよい。
【００４７】
〔太陽電池モジュール１２の特徴〕
図４の如く、バスバー４６、５０を各々２本の分岐バスバー４６Ａ、４６Ｂ、５０Ａ、５０Ｂに分岐して端子板３８、４０に接続している。
【００４８】
従来では、太陽電池モジュールの負極端子及び正極端子からのバスバーは各々１本のみであった。よって、バスバーと端子板との１箇所の接点（半田部、溶接部であり、総称して接続部ともいう）が分断などの不具合を起こすと、その時点で太陽電池モジュールの機能が喪失する。
【００４９】
これに対して、実施形態の太陽電池モジュール１２では、太陽電池モジュール１２からのバスバー４６、５０を２本の分岐バスバー４６Ａ、４６Ｂ、５０Ａ、５０Ｂに分岐し、端子板３８、４０に対して２個の接点を備えることで、一方の接点に不具合が発生しても、他方の正常な接点に電流が流れることで問題なく太陽電池モジュール１２の機能を持続することができる。
【００５０】
この場合、分岐バスバー４６Ａと分岐バスバー４６Ｂの抵抗値を意図的に変更し、分岐バスバー５０Ａと分岐バスバー５０Ｂの抵抗値を意図的に変更し、通常使用導線、予備使用導線と用途を分ける方法もある。
【００５１】
これにより、端子箱２６、太陽電池パネル２０の使用寿命が延びるので、長期間の使用寿命を保証できる太陽電池モジュール１２を提供できる。
【００５２】
なお、バスバーを分岐することなく、図６の他の形態の如く、太陽電池パネル２０の負極側の太陽電池セル１８及び正極側の太陽電池セル１８と端子板３８、４０とを２本以上（図６では２本）のバスバー４７Ａ、４７Ｂ、５１Ａ、５１Ｂで接続してもよい。この形態においても、バスバー４７Ａとバスバー４７Ｂの抵抗値を意図的に変更し、バスバー５１Ａとバスバー５１Ｂの抵抗値を意図的に変更してもよい。
【００５３】
抵抗値は、分岐バスバー４６Ａ、４６Ｂ、５０Ａ、５０Ｂ、及びバスバー４７Ａ、４７Ｂ、５１Ａ、５１Ｂの材料（銅、真鍮など）を変えることで変更ができ、同一材料の場合には、分岐バスバー４６Ａ、４６Ｂ、５０Ａ、５０Ｂ、及びバスバー４７Ａ、４７Ｂ、５１Ａ、５１Ｂの断面積（Ｓ）を変えることで抵抗値（Ｒ＝ρ・Ｌ／Ｓ）を変更できる。
【００５４】
〔他の実施形態の端子箱１００の構成〕
図７は、他の実施形態の端子箱１００の構成を示した組立斜視図である。図８は、厚さの厚い太陽電池パネル２０に端子箱１００を取り付けた要部断面図であり、図９は、厚さの薄い太陽電池パネル２０に端子箱１００を取り付けた要部断面図である。
【００５５】
端子箱１００は、太陽電池パネル２０の小口２０Ａに接着部材１０２を介して接着されるアタッチメント部材１０４と、アタッチメント部材１０４に取り付けられる端子箱１００の本体１０６と、を備えている。
【００５６】
また、端子箱１００には、アタッチメント部材１０４に対する本体１０６の取り付け位置を選択可能とする、複数の溝（被係合部）１０８と、その複数の溝１０８のうち選択した溝１０８に係合される複数の突起（係合部）１１０とからなる取付手段１１２が備えられている。なお、図７〜図９では、溝１０８をアタッチメント部材１０４に設け、突起１１０を本体１０６に設けているが、溝１０８を本体１０６に設け、突起１１０をアタッチメント部材１０４に設けてもよい。
【００５７】
溝１０８は、アタッチメント部材１０４の長手方向の両端部において、太陽電池パネル２０の厚さ方向に所定の間隔をもって複数形成されている。一方、突起１１０は、アタッチメント部材１０４に対する本体１０６の枠状の当接面１１４に突出して形成され、突起１１０の先端部には、止水パッキン１１６が取り付けられる。これによって、突起１１０は止水パッキン１１６を介して溝１０８に係合される。また、本体１０６の当接面１１４の全面にも止水パッキン１１８が備えられ、これによって、本体１０６がアタッチメント部材１０４に対して水密状態で取り付けられる。
【００５８】
〔端子箱１００の特徴〕
太陽電池パネル２０の小口２０Ａに接着される端子箱１００を、小口２０Ａに接着されるアタッチメント部材１０４と本体１０６との二部材に分割し、厚さの異なる太陽電池パネル２０であっても同一のアタッチメント部材１０４を小口２０Ａに接着し、アタッチメント部材１０４に対する本体１０６の取り付け位置を、取付手段１１２によって選択可能としている。
【００５９】
具体的には、複数の溝１０８のうち選択した溝１０８に突起１１０を係合させて、アタッチメント部材１０４に本体１０６を取り付ける。つまり、図８に示す厚さの厚い太陽電池パネル２０、及び図９に示す厚さの薄い太陽電池パネル２０の如く、太陽電池パネル２０の厚さに応じて、太陽電池パネル２０の厚さ方向における最適な位置に本体１０６を取り付ける。これにより、太陽電池パネル２０の厚さのバリエーションに対応できる端子箱１００を提供できる。
【００６０】
また、溝１０８及び突起１１０からなる機械的な係止部材を介してアタッチメント部材１０４に本体１０６を取り付ければ、アタッチメント部材１０４から本体１０６を取り外すことができるので、本体１０６のメンテナンス作業及び交換作業が容易になる。
【００６１】
アタッチメント部材１０４に対する本体１０６の取り付け位置を選択する理由は、太陽電池パネル２０の小口２０Ａから外部に延設されたバスバー４６、５０を極力折り曲げることなく、本体１０６に設けられた端子板（不図示）に接続させるためである。つまり、太陽電池パネル２０の厚さに応じて小口２０Ａに対するバスバー４６、５０の延設位置が異なるので、その延設位置に応じて本体１０６の取り付け位置を選択する必要があるからである。
【００６２】
なお、実施形態では、取付手段１１２として、溝１０８と突起１１０を例示したが、これに限定されるものではない。すなわち、アタッチメント部材１０４に対する本体１０６の取り付け位置を選択可能とする取付手段であれば、例えば磁石でも、接着剤でも適用できる。
【００６３】
一方、アタッチメント部材１０４は断面Ｌ字状に構成され、太陽電池パネル２０の小口２０Ａに接着部材１０２を介して接着される第１の接着面（第１の面）１０４Ａと、太陽電池パネル２０の面２０Ｂに接着部材１０２を介して接着される第２の接着面（第２の面）１０４Ｂとが備えられている。
【００６４】
これにより、太陽電池パネル２０に対するアタッチメント部材１０４の接着面積を、小口２０Ａにのみに接着面（第１の接着面１０４Ａに相当）を備えた平板状のアタッチメント部材と比較して大きくできるので、太陽電池パネル２０に対するアタッチメント部材１０４の接着安定性が高まる。なお、アタッチメント部材１０４の断面形状はＬ字状なので、太陽電池パネル２０の厚さのバリエーションに対応できることは当然である。
【００６５】
また、太陽電池パネル２０は、図３に示したように、２枚のガラス板３４、３６が熱硬化性樹脂製又は熱可塑性樹脂製の中間膜（膜体）３０、３２を介して接合されてなる合わせガラスである。そして、図７〜図９に示した接着部材１０２は中間膜３０、３２と同様に熱硬化性樹脂又は熱可塑性樹脂である。
【００６６】
これにより、オートクレーブによる合わせガラス（太陽電池パネル２０）の製造と同時にアタッチメント部材１０４を太陽電池パネル２０に接着できる。
【００６７】
太陽電池パネル２０の小口２０Ａに対するアタッチメント部材１０４の取り付け方法は、一般的なシリコーンシーラント系の常温硬化性接着剤によるものでも適用できる。しかしながら、より強固、かつ耐久性を高めるための接着は、合わせガラスの２枚のガラス板３４、３６を接合（封着）するために用いられる中間膜３０、３２又は封止材等と同様、熱硬化性若しくは熱可塑性の接着部材１０２を使用して接着することが好ましい。
【００６８】
接着部材１０２として熱硬化性樹脂又は熱可塑性樹脂を使用すれば、シリコーン系の接着材と比較して、接着力、剛性、耐久性ともに優れ、かつ、２枚のガラス板３４、３６の接合工程（ラミネーション工程）において同時にアタッチメント部材１０４を小口２０Ａに接着できるので、施工性も向上する。なお、接着部材１０２は、順構造用のレベルの接着力を備えたシート状のテープでもよい。
【００６９】
また、アタッチメント部材１０４には、図７の如く、太陽電池パネル２０から延出されたバスバー４６、５０が挿通される開口部１２０が備えられ、バスバー４６、５０の端部が本体１０６に内在された端子板（不図示）に接続される。
【００７０】
すなわち、太陽電池パネル２０から延出されたバスバー４６、５０は、アタッチメント部材１０４の開口部１２０に挿通されて、本体１０６に内在された端子板に接続される。この際に、取付手段１１２を利用して、バスバー４６、５０が折れ曲がらない好適な位置に、本体１０６をアタッチメント部材１０４に取り付ける（図８、図９参照）。
【符号の説明】
【００７１】
１０…太陽光発電システム、１２、１４、１６…太陽電池モジュール、１８…太陽電池セル、２０…太陽電池パネル、２０Ａ…小口、２２、２４…バイパス素子、２６…端子箱、２８…インターコネクタ、３０、３２…中間膜、３４、３６…ガラス板、３８…端子板、３９…収納凹部、４０…端子板、４１…収納凹部、４２、４４…バイパスダイオード、４６…バスバー、４６Ａ、４６Ｂ…分岐バスバー、５０…バスバー、５４…負荷装置、５６、５８、６０、６２…外部接続ケーブル、１００…端子箱、１０２…接着部材、１０４…アタッチメント部材、１０４Ａ…第１の接着面、１０４Ｂ…第２の接着面、１０６…本体、１０８…溝、１１０…突起、１１２…取付手段、１１４…当接面、１１６…止水パッキン、１１８…止水パッキン、１２０…開口部
【図１】
0006507553.tif 000002
【図２】
0006507553.tif 000003
【図３】
0006507553.tif 000004
【図４】
0006507553.tif 000005
【図５】
0006507553.tif 000006
【図６】
0006507553.tif 000007
【図７】
0006507553.tif 000008
【図８】
0006507553.tif 000009
【図９】
0006507553.tif 000010